(57)【要約】【課題】エアー源等の設備を不要とし、簡易で小型の構造でメンテナンス性に優れた包装装置を提供する。【解決手段】包装装置は、ヒートシール位置に配置されたヒートシール手段と、製品１をフィルム２で包囲させてヒートシール位置に搬送する製品搬送手段と、電気モータ１３とヒートシール手段とを連結する伝動機構とを備える。そして、電気モータ１３および伝動機構によってヒートシール手段が駆動され、ヒートシール手段によってフィルム２がヒートシールされ、フィルム２によって製品１が包装される。【選択図】図１
0003156646.tif 000002
【実用新案登録請求の範囲】
【請求項１】
ヒートシール位置に配置されたヒートシール手段と、
製品をフィルムで包囲させて前記ヒートシール位置に搬送する製品搬送手段と、
電気モータと前記ヒートシール手段とを連結する伝動機構とを備え、
前記電気モータおよび前記伝動機構によって前記ヒートシール手段が駆動され、
前記ヒートシール手段によって前記フィルムがヒートシールされ、
前記フィルムによって前記製品が包装されるようにしたことを特徴とする包装装置。
【請求項２】
前記フィルムを長手方向に沿って２つ折りにした状態で供給するフィルム供給源と、
前記製品の搬送面の両側に設けられて互いに平行に対向配置された一対のフィルム案内板を有し、前記製品の搬送に伴い、前記フィルム供給源から前記２つ折りのフィルムの供給を受け、前記一対のフィルム案内板によって前記２つ折りのフィルムを案内して方向転換および反転させ、前記製品を前記２つ折りのフィルムで包囲するフォーマー部と、をさらに備え、
前記ヒートシール手段は、前記製品搬送手段の長さ方向および幅方向にのびた略Ｌ字形状のＬ型ヒートシールバーを有する第１部材と、前記第１部材に対して対向配置され、前記Ｌ型ヒートシールバーと係合可能な受け台を有する第２部材とからなり、
前記電気モータおよび前記伝動機構によって、前記第１部材および前記第２部材が駆動されて、前記２つ折りのフィルムが前記Ｌ型ヒートシールバーおよび前記受け台間に挟まれ、
前記Ｌ型ヒートシールバーおよび前記受け台によって前記２つ折りのフィルムがヒートシールされ、
前記２つ折りのフィルムによって前記製品が包装されるようにしたことを特徴とする請求項１に記載の包装装置。
【請求項３】
前記伝動機構は、
揺動可能な駆動アームと、
前記電気モータと前記駆動アームを連結し、前記電気モータによって前記駆動アームを揺動させる伝達手段と、
中間揺動部材と、
前記第１部材と前記中間揺動部材を連結する第１リンクと、
前記第２部材と前記中間揺動部材を連結する第２リンクと、
前記駆動アームと前記中間揺動部材を連結する第３リンクとからなり、
前記電気モータによって、前記駆動アームが揺動し、前記中間揺動部材が揺動し、前記第１部材および第２部材が駆動されるようにしたことを特徴とする請求項１または２に記載の包装装置。
【請求項４】
前記電気モータは、前記駆動アームが一定角度揺動したときに動作停止するブレーキ付きギヤードモータからなることを特徴とする請求項３に記載の包装装置。
【請求項５】
前記電気モータは、長寿命でメンテナンスフリーのモータからなることを特徴とする請求項１〜４のいずれかに記載の包装装置。
【請求項６】
前記フィルム案内板は、斜辺が前記製品の搬送方向に対して４５度の角度をなす直角三角形板からなり、
前記製品の搬送に伴い、前記フィルム供給源によって前記２つ折りのフィルムが前記斜辺に対して供給されて、前記斜辺によって前記２つ折りのフィルムが方向転換および反転されて、前記反転せしめられた２つ折りのフィルムによって前記製品が包囲されるようにしたことを特徴とする請求項２〜５のいずれかに記載の包装装置。
【考案の詳細な説明】
【技術分野】
【０００１】
本考案は、包装装置、特にＬ型ヒートシールバーを有する包装装置に関する。
【背景技術】
【０００２】
従来から、フィルムで製品を包装する包装装置が開発されている。例えば、特開平６−３２３３０号公報（特許文献１）に記載されているものがその一例である。
この公報に記載の包装装置は、公知のＬ型ヒートシールバー（Ｌシーラ）を有するヒートシール手段（シール装置）と、製品搬送手段（商品搬送ベルト）と、リンク機構とを備えている。
製品搬送手段は製品をフィルムで包囲させてヒートシール位置に搬送する。ここで、ヒートシール位置とはフィルムがヒートシールされるべき位置のことである。
リンク機構は、エアーシリンダーとヒートシール手段を連結している。
【０００３】
この包装装置は、エアーシリンダーおよびリンク機構によってヒートシール手段が駆動され、ヒートシール手段によってフィルムがヒートシールされ、フィルムによって製品が包装されるようになっている。
【先行技術文献】
【特許文献】
【０００４】
【特許文献１】特開平６−３２３３０号
【考案の概要】
【考案が解決しようとする課題】
【０００５】
しかしながら、この包装装置では、エアーシリンダーおよびリンク機構によってヒートシール手段を駆動させるため、エアーシリンダーのエアー源、配管、制御弁等の設備が必要となり、結果として、複雑な構造のものとなる。また、装置全体が大型化され、その設置スペースが限られるという問題もある。
さらに、この包装装置では、エアーシリンダーおよびその設備の定期的なメンテナンスや部品交換を行う必要があるという問題がある。
【０００６】
本考案の課題は、エアー源等の設備を不要とし、簡易で小型の構造でメンテナンス性に優れた包装装置を提供することにある。
【課題を解決するための手段】
【０００７】
上記課題を解決するため、本考案は、ヒートシール位置に配置されたヒートシール手段と、製品をフィルムで包囲させて前記ヒートシール位置に搬送する製品搬送手段と、電気モータと前記ヒートシール手段とを連結する伝動機構とを備え、前記電気モータおよび前記伝動機構によって前記ヒートシール手段が駆動され、前記ヒートシール手段によって前記フィルムがヒートシールされ、前記フィルムによって前記製品が包装されるようにしたことを特徴とする包装装置としたものである。
【０００８】
上記構成において、包装装置は、前記フィルムを長手方向に沿って２つ折りにした状態で供給するフィルム供給源と、前記製品の搬送面の両側に設けられて互いに平行に対向配置された一対のフィルム案内板を有し、前記製品の搬送に伴い、前記フィルム供給源から前記２つ折りのフィルムの供給を受け、前記一対のフィルム案内板によって前記２つ折りのフィルムを案内して方向転換および反転させ、前記製品を前記２つ折りのフィルムで包囲するフォーマー部と、をさらに備え、前記ヒートシール手段は、前記製品搬送手段の長さ方向および幅方向にのびた略Ｌ字形状のＬ型ヒートシールバーを有する第１部材と、前記第１部材に対して対向配置され、前記Ｌ型ヒートシールバーと係合可能な受け台を有する第２部材とからなり、前記電気モータおよび前記伝動機構によって、前記第１部材および前記第２部材が駆動されて、前記２つ折りのフィルムが前記Ｌ型ヒートシールバーおよび前記受け台間に挟まれ、前記Ｌ型ヒートシールバーおよび前記受け台によって前記２つ折りのフィルムがヒートシールされ、前記２つ折りのフィルムによって前記製品が包装されるようにしたことが好ましい。
【０００９】
また、上記構成において、前記伝動機構は、揺動可能な駆動アームと、前記電気モータと前記駆動アームを連結し、前記電気モータによって前記駆動アームを揺動させる伝達手段と、中間揺動部材と、前記第１部材と前記中間揺動部材を連結する第１リンクと、前記第２部材と前記中間揺動部材を連結する第２リンクと、前記駆動アームと前記中間揺動部材を連結する第３リンクとからなり、前記電気モータによって、前記駆動アームが揺動し、前記中間揺動部材が揺動し、前記第１部材および第２部材が駆動されるようにしたことが好ましい。
【００１０】
また、上記構成において、前記電気モータは、前記駆動アームが一定角度揺動したときに動作停止するブレーキ付きギヤードモータからなることが好ましい。また、前記電気モータは、長寿命でメンテナンスフリーのモータからなることが好ましい。
【００１１】
さらに、上記構成において、前記フィルム案内板は、斜辺が前記製品の搬送方向に対して４５度の角度をなす直角三角形板からなり、前記製品の搬送に伴い、前記フィルム供給源によって前記２つ折りのフィルムが前記斜辺に対して供給されて、前記斜辺によって前記２つ折りのフィルムが方向転換および反転されて、前記反転せしめられた２つ折りのフィルムによって前記製品が包囲されるようにしたことが好ましい。
【考案の効果】
【００１２】
本考案によれば、電気モータとヒートシール手段を伝動機構で連結することによって、電気モータおよび伝動機構でヒートシール手段を駆動して、ヒートシール手段でフィルムをヒートシールして、フィルムで製品を包装するように、包装装置を構成したので、従来のようなエアー源等の設備が不要となり、簡単で小型な構造の包装装置を提供することができる。
また、本考案によれば、従来のエアーシリンダーの代わりに、長寿命でメンテナンスフリーの電気モータを使用して、ヒートシール手段を駆動するように、包装装置を構成したので、メンテナンス性に優れた包装装置を提供することができる。
【図面の簡単な説明】
【００１３】
【図１】本考案に係る包装装置を示す図であり、（Ａ）は上面図、（Ｂ）は側面図である。
【図２】図１の包装装置の動作を説明するためのものであり、第１部材および第２部材が互いに開いた状態を示す側面図である。
【図３】図１の包装装置の動作を説明するためのものであり、第１部材および第２部材が互いに閉じた状態を示す側面図である。
【図４】図１の包装装置の動作を説明する斜視図である。
【図５】図１の包装装置によってフィルムで包装された製品を示す斜視図である。
【考案を実施するための形態】
【００１４】
以下、本考案の好ましい実施例について図面を参照しながら説明する。
【００１５】
図１〜４は、本発明に係る包装装置を示す。この包装装置は、ヒートシール手段と、製品搬送手段と、伝動機構と、電気モータとを備え、電気モータおよび伝動機構によってヒートシール手段を駆動し、ヒートシール手段によってフィルムをヒートシールし、フィルムによって製品を包装するためのものである。
【００１６】
製品搬送手段は、製品をフィルムで包囲させてヒートシール位置に搬送するためのものである。
製品搬送手段は製品搬送コンベア３からなる。図４に示すように、製品搬送コンベア３は、図示しない駆動手段（例えば、電気モータなど）によって駆動され、製品１をフィルム２で包囲させてヒートシール位置に搬送する。
【００１７】
ヒートシール手段はヒートシール位置に配置されるものである。
ヒートシール手段は、互いに対向配置された第１部材１０および第２部材１２からなる。
第１部材１０は、Ｌ型ヒートシールバー９およびフレームを有する。Ｌ型ヒートシールバー９は、このフレームの下面に取り付けられている。また、第２部材１２は、受け台１１およびフレームを有する。受け台１１は、このフレームの上面に取り付けられている。第１部材１０および第２部材１２は、共通の支点ＳＰを中心として揺動可能になっており、Ｌ型ヒートシールバー９および受け台１１は、互いに対向配置されるようになっている。
Ｌ型ヒートシールバー９は、図１（Ａ）に示すように、製品搬送コンベア３の長さ方向および幅方向にのびた略Ｌ字形状をしている。
受け台１１は、Ｌ型ヒートシールバー９に対応する形状を有し、図３に示すように、第１部材１０および第２部材１２の揺動によってＬ型ヒートシールバー９と係合可能になっている。
【００１８】
伝動機構は、電気モータとヒートシール手段を連結するためのものである。
伝動機構は、駆動アーム１４と、伝達手段１５と、中間揺動部材１６と、第１リンク１７と、第２リンク１８と、第３リンク１９とからなる。
駆動アーム１４は揺動可能なものである。
伝達手段１５は、チェーン１５からなり、電気モータ１３と駆動アーム１４を連結するためのものである。電気モータ１３によってチェーン１５が駆動されることにより、駆動アーム１４が揺動する。チェーン１５の代わりに、例えば伝達ベルト、伝達リンク等を使用してもよい。
中間揺動部材１６は、それぞれ第１リンク１７、第２リンク１８および第３リンク１９に取り付けられた第１アーム１６ａ、第２アーム１６ｂおよび第３アーム１６ｃからなる。
第１リンク１７は、第１部材１０と中間揺動部材１６を連結するためのものである。第１リンク１７の一端は第１部材１０に取り付けられ、その他端は第１アーム１６ａに取り付けられている。
第２リンク１８は、第２部材１２と中間揺動部材１６を連結するためのものである。第２リンク１８の一端は第２部材１２に取り付けられ、その他端は第２アーム１６ｂに取り付けられている。
第３リンク１９は、駆動アーム１４と中間揺動部材１６を連結するためのものである。第３リンク１９の一端は駆動アーム１４に取り付けられ、その他端は第３アーム１６ｃに取り付けられている。
ここで、本実施例では、電気モータ１３はブレーキ付きギヤードモータからなる。ブレーキ付きギヤードモータは、駆動アーム１４が一定角度揺動したときに、動作停止するためのものである。
【００１９】
この包装装置はさらにフィルム供給源を備える。
フィルム供給源はフィルムを供給するためのものである。
フィルム供給源は、図４に示すように、フィルムロール５からなり、フィルム２を長手方向の折り目４に沿って２つ折りにした状態で供給するようになっている。
【００２０】
この包装装置はさらにフォーマー部を備える。
フォーマー部は、一対のフィルム案内板８を有する。この一対のフィルム案内板８は、製品１の搬送面６の両側に設けられて互いに平行に対向配置されている。
フォーマー部は、製品１の搬送に伴い、フィルムロール５から２つ折りのフィルム２の供給を受け、一対のフィルム案内板８によって２つ折りのフィルム２を案内して方向転換および反転させ、製品１を２つ折りのフィルム２で包囲するようになっている。
ここで、図４に示すように、一対のフィルム案内板８は、それぞれ、斜辺７ａが製品１の搬送方向に対して４５度の角度をなす直角三角形板７からなる。この斜辺７ａは、製品１の搬送に伴って、フィルムロール５によって２つ折りのフィルム２の供給を受け、この２つ折りのフィルム２を方向転換および反転させるようになっている。
【００２１】
次に、本考案に係る包装装置の動作について簡単に説明する。
【００２２】
まず、図４に示すように、特許文献１の包装装置と同様、製品搬送コンベア３によって、製品１が、直角三角形板７間に搬送され、ヒートシール位置に搬送される。そして、この製品１の搬送に伴い、フィルムロール５によって２つ折りのフィルム２が斜辺７ａに対して供給され、この斜辺７ａによって２つ折りのフィルム２が方向転換および反転されて、この反転せしめられた２つ折りのフィルム２によって製品１が包囲される。
次に、図２および図３に示すように、電気モータ１３によって、チェーン１５を介して駆動アーム１４が約９０度の角度だけ揺動し、第３リンク１９を介して中間揺動部材１６が揺動し、第１リンク１７を介して第１部材１０が駆動され、第２リンク１８を介して第２部材１２が駆動される。
製品１がヒートシール位置に搬送されるとき、第１および第２部材１０、１２が互いに開かれているが、製品１の搬送後、第１および第２部材１０、１２は互いに閉じられる。この結果、２つ折りのフィルム２がＬ型ヒートシールバー９および受け台１１間に挟まれ、Ｌ型ヒートシールバー９および受け台１１によって２つ折りのフィルム２がヒートシールされ、２つ折りのフィルム２によって製品１が包装される（図５参照）。
【００２３】
本考案に係る包装装置によれば、電源によって電気モータを駆動して、電気モータおよびその伝動機構でヒートシール手段を駆動すればよく、従来のようなエアー源等の設備が不要となり、簡単で小型な構造の包装装置を提供することができる。
【００２４】
また、本実施例では電気モータ１３として、駆動アーム１４が一定角度揺動したときに動作停止するブレーキ付きギヤードモータを使用したが、ブラシレスモータなどの長寿命でメンテナンスフリーのモータを使用することにより、メンテナンス性に優れた包装装置を提供することができる。
【符号の説明】
【００２５】
１  製品
２  フィルム（２つ折りのフィルム）
３  製品搬送コンベア
４  折り目
５  フィルムロール
６  搬送面
７  直角三角形板
７ａ  斜辺
８  一対のフィルム案内板
９  Ｌ型ヒートシールバー
１０  第１部材
１１  受け台
１２  第２部材
１３  電気モータ
１４  駆動アーム
１５  伝達手段（チェーン）
１６  中間部材
１６ａ  第１アーム
１６ｂ  第２アーム
１６ｃ  第３アーム
１７  第１リンク
１８  第２リンク
１９  第３リンク
ＳＰ  支点
【図１】
0003156646.tif 000003
【図２】
0003156646.tif 000004
【図３】
0003156646.tif 000005
【図４】
0003156646.tif 000006
【図５】
0003156646.tif 000007
【手続補正書】
【提出日】平成21年10月30日(2009.10.30)
【手続補正１】
【補正対象書類名】実用新案登録請求の範囲
【補正対象項目名】全文
【補正方法】変更
【補正の内容】
【実用新案登録請求の範囲】
【請求項１】
ヒートシール位置に配置されたヒートシール手段と、
製品をフィルムで包囲させて前記ヒートシール位置に搬送する製品搬送手段と、
電気モータと前記ヒートシール手段とを連結する伝動機構とを備え、
前記電気モータおよび前記伝動機構によって前記ヒートシール手段が駆動され、
前記ヒートシール手段によって前記フィルムがヒートシールされ、
前記フィルムによって前記製品が包装されるようにしたことを特徴とする包装装置。
【請求項２】
前記フィルムを長手方向に沿って２つ折りにした状態で供給するフィルム供給源と、
前記製品の搬送面の両側に設けられて互いに平行に対向配置された一対のフィルム案内板を有し、前記製品の搬送に伴い、前記フィルム供給源から前記２つ折りのフィルムの供給を受け、前記一対のフィルム案内板によって前記２つ折りのフィルムを案内して方向転換および反転させ、前記製品を前記２つ折りのフィルムで包囲するフォーマー部と、をさらに備え、
前記ヒートシール手段は、前記製品搬送手段の長さ方向および幅方向にのびた略Ｌ字形状のＬ型ヒートシールバーを有する第１部材と、前記第１部材に対して対向配置され、前記Ｌ型ヒートシールバーと係合可能な受け台を有する第２部材とからなり、
前記電気モータおよび前記伝動機構によって、前記第１部材および前記第２部材が駆動されて、前記２つ折りのフィルムが前記Ｌ型ヒートシールバーおよび前記受け台間に挟まれ、
前記Ｌ型ヒートシールバーおよび前記受け台によって前記２つ折りのフィルムがヒートシールされ、
前記２つ折りのフィルムによって前記製品が包装されるようにしたことを特徴とする請求項１に記載の包装装置。
【請求項３】
前記伝動機構は、
揺動可能な駆動アームと、
前記電気モータと前記駆動アームを連結し、前記電気モータによって前記駆動アームを揺動させる伝達手段と、
中間揺動部材と、
前記第１部材と前記中間揺動部材を連結する第１リンクと、
前記第２部材と前記中間揺動部材を連結する第２リンクと、
前記駆動アームと前記中間揺動部材を連結する第３リンクとからなり、
前記電気モータによって、前記駆動アームが揺動し、前記中間揺動部材が揺動し、前記第１部材および第２部材が駆動されるようにしたことを特徴とする請求項２に記載の包装装置。
【請求項４】
前記電気モータは、前記駆動アームが一定角度揺動したときに動作停止するブレーキ付きギヤードモータからなることを特徴とする請求項３に記載の包装装置。
【請求項５】
前記電気モータは、長寿命でメンテナンスフリーのモータからなることを特徴とする請求項２〜４のいずれかに記載の包装装置。
【請求項６】
前記フィルム案内板は、斜辺が前記製品の搬送方向に対して４５度の角度をなす直角三角形板からなり、
前記製品の搬送に伴い、前記フィルム供給源によって前記２つ折りのフィルムが前記斜辺に対して供給されて、前記斜辺によって前記２つ折りのフィルムが方向転換および反転されて、前記反転せしめられた２つ折りのフィルムによって前記製品が包囲されるようにしたことを特徴とする請求項２〜５のいずれかに記載の包装装置。